(57)【要約】    【課題】  ダビングにかかる時間を短縮し、快適にダビングを行うことができる記録再生装置、記録再生方法、及び該方法を実行するプログラムを提供する。    【解決手段】  本実施の形態に係る記録再生装置は、記録媒体１０１に記録されている動画像データを所定の再生速度、例えば、±ｓｐ（ｓｐ＞０）倍の速度で再生する再生回路１０２と、動画像データをダビングするスレーブとなる記録媒体１０５と、再生回路１０２から再生される動画像データを±ｓｐ（ｓｐ＞０）倍の速度で記録媒体１０５に記録する記録回路１０６と、再生回路１０２及び記録回路１０６の動作を制御する記録再生制御回路１０８とを備え、記録再生制御回路１０８は、再生回路１０２が記録媒体１０１に記録された動画像データを再生速度+ｓｐで再生するときに、該画像データを記録速度+ｓｐで記録媒体１０５に記録するように記録回路１０６を制御する。【選択図】      図１
2006155691.tif 000002
【特許請求の範囲】
【請求項１】
画像データを記録再生する記録再生装置において、
第１の記録媒体に記録された画像データを再生する再生装置と、
前記再生装置により再生される画像データを第２の記録媒体に記録する記録装置と、
前記再生装置が前記第１の記録媒体に記録された前記画像データを順方向の所定の倍速で再生するときに、前記画像データを前記順方向の所定の倍速で前記第２の記録媒体に記録するように前記記録装置を制御する制御装置とを備えることを特徴とする記録再生装置。
【請求項２】
前記再生装置により再生される前記画像データの現在の再生位置を検出する再生位置検出装置と、
前記記録装置により前記第２の記録媒体に記録された画像データの現在の記録位置を検出する記録位置検出装置と、
前記再生位置検出装置により検出される再生位置を前記記録位置検出装置により検出される記録位置と比較する再生記録位置比較装置とを有し、
前記制御装置は、前記再生位置が前記記録位置より時間的に前であるときに、前記第２の記録媒体に記録された画像データのうち前記再生位置及び前記記録位置間の画像データを消去することを特徴とする請求項１記載の記録再生装置。
【請求項３】
前記制御装置は、前記再生装置が前記第１の記録媒体に記録された画像データを逆方向の所定の速度で再生するときに、前記第２の記録媒体に記録された画像データを前記逆方向の所定の速度で消去するように前記記録装置を制御することを特徴とする請求項１又は２記載の記録再生装置。
【請求項４】
前記第２の記録媒体に記録された画像データの記録開始位置を取得する記録開始位置取得装置を有し、
前記制御装置は、前記再生位置検出装置で検出される再生位置が前記記録開始位置検出装置により取得された前記記録開始位置より時間的に前であるときは、外部に警告を発することを特徴とする請求項２又は３記載の記録再生装置。
【請求項５】
前記再生装置により再生される前記画像データを表示する表示装置と、
前記再生装置により再生される前記画像データに画面効果を付す画面効果装置を有し、
前記警告は、前記画像データに付された前記画面効果であることを特徴とする請求項４記載の記録再生装置。
【請求項６】
前記画面効果は前記表示装置に表示される画像データの色を変化させることを特徴とする請求項５記載の記録再生装置。
【請求項７】
前記画面効果は前記表示装置に表示される画像データの輝度を変化させることを特徴とする請求項５又は６記載の記録再生装置。
【請求項８】
前記画面効果は、前記表示装置に表示される画像データに、文字データを重ね合わせることを特徴とする請求項５乃至７のいずれか１項に記載の記録再生装置。
【請求項９】
音声を再生する音声再生装置を有し、
前記警告は、前記音声再生装置により再生される音声であることを特徴とする請求項４記載の記録再生装置。
【請求項１０】
前記第２の記録媒体への画像データの記録を取消す取消信号を検出する取消信号検出装置を有し、
前記制御装置は、前記取消信号検出装置が前記取消信号を検出したときに、前記第２の記録媒体への画像データの記録を取消すと共に前記第２の記録媒体に新たな画像データを記録することができるように前記記録装置を制御することを特徴とする請求項４乃至９のいずれか１項に記載の記録再生装置。
【請求項１１】
前記第１の記録媒体及び前記第２の記録媒体は、テープ、ディスク、及び半導体メモリのうちのいずれかの組み合わせで構成されることを特徴とする請求項１乃至１０のいずれか１項に記載の記録再生装置。
【請求項１２】
前記第１記録媒体及び前記第２の記録媒体は、同一の媒体から成ることを特徴とする請求項１乃至１１のいずれか１項に記載の記録再生装置。
【請求項１３】
画像データを記録する第１の記録媒体及び第２の記録媒体を有し、画像データを記録再生する記録再生装置に適用される記録再生方法であって、
前記第１の記録媒体に記録された画像データを再生する再生ステップと、
前記再生ステップにより再生される画像データを前記第２の記録媒体に記録する記録ステップと、
前記第１の記録媒体に記録された前記画像データを順方向の所定の倍速で再生するときに、前記画像データを前記順方向の所定の倍速で前記第２の記録媒体に記録するように制御する制御ステップとを有することを特徴とする記録再生方法。
【請求項１４】
前記再生ステップにより再生される前記画像データの現在の再生位置を検出する再生位置検出ステップと、
前記記録ステップにより前記第２の記録媒体に記録された画像データの現在の記録位置を検出する記録位置検出ステップと、
前記再生位置検出ステップにより検出される再生位置を前記記録位置検出ステップにより検出される記録位置と比較する再生記録位置比較ステップとを有し、
前記制御ステップは、前記再生位置が前記記録位置に対して時間的に前であるときに、前記第２の記録媒体に記録された画像データのうち前記再生位置及び前記記録位置間の画像データを消去することを特徴とする請求項１３記載の記録再生方法。
【請求項１５】
前記制御ステップは、前記再生ステップにより前記第１の記録媒体に記録された画像データを逆方向の所定の速度で再生するときに、前記第２の記録媒体に記録された画像データを前記逆方向の所定の速度で消去するように前記記録ステップを制御することを特徴とする請求項１３又は１４記載の記録再生方法。
【請求項１６】
前記第２の記録媒体に記録された画像データの記録開始位置を取得する記録開始位置取得ステップを有し、
前記制御ステップは、前記再生位置検出ステップにより検出される再生位置が前記記録開始位置検出ステップにより取得された前記記録開始位置より時間的に前であるときは、外部に警告を発することを特徴とする請求項１４又は１５記載の記録再生方法。
【請求項１７】
前記再生ステップにより再生される前記画像データを表示する表示ステップと、
前記再生ステップにより再生される前記画像データに画面効果を付す画面効果ステップを有し、
前記警告は、前記画像データに付された前記画面効果であることを特徴とする請求項１６記載の記録再生方法。
【請求項１８】
前記画面効果は前記表示ステップより表示される画像データの色を変化させることを特徴とする請求項１７記載の記録再生方法。
【請求項１９】
前記画面効果は前記表示ステップにより表示される画像データの輝度を変化させることを特徴とする請求項１７又は１８記載の記録再生方法。
【請求項２０】
前記画面効果は、前記表示ステップにより表示される画像データに、文字データを重ね合わせることを特徴とする請求項１７乃至１９のいずれか１項に記載の記録再生方法。
【請求項２１】
音声を再生する音声再生ステップを有し、
前記警告は、前記音声再生ステップにより再生される音声であることを特徴とする請求項１６記載の記録再生方法。
【請求項２２】
前記第２の記録媒体への画像データの記録を取消す取消信号を検出する取消信号検出ステップを有し、
前記制御ステップは、前記取消信号検出により前記取消信号を検出したときに、前記第２の記録媒体への画像データの記録を取消すと共に前記第２の記録媒体に新たな画像データを記録することができるように前記記録ステップを制御することを特徴とする請求項１６乃至２１のいずれか１項に記載の記録再生方法。
【請求項２３】
前記第１の記録媒体及び前記第２の記録媒体は、テープ、ディスク、及び半導体メモリのうちのいずれかの組み合わせで構成されることを特徴とする請求項１３乃至２２のいずれか１項に記載の記録再生方法。
【請求項２４】
前記第１記録媒体及び前記第２の記録媒体は、同一の媒体から成ることを特徴とする請求項１３乃至２３のいずれか１項に記載の記録再生方法。
【請求項２５】
画像データを記録する第１の記録媒体及び第２の記録媒体を有し、画像データを記録再生する記録再生装置に適用される記録再生方法をコンピュータに実行させるためのプログラムであって、
前記第１の記録媒体に記録された画像データを再生する再生モジュールと、
前記再生モジュールにより再生される画像データを前記第２の記録媒体に記録する記録モジュールと、
前記第１の記録媒体に記録された前記画像データを順方向の所定の倍速で再生するときに、前記画像データを前記順方向の所定の倍速で前記第２の記録媒体に記録するように制御する制御モジュールとを有することを特徴とするプログラム。
【発明の詳細な説明】
【技術分野】
【０００１】
本発明は記録再生装置、記録再生方法、及び該方法を実行するプログラムに関し、特に、記録媒体に記録された動画像データを編集及びダビングすることができる記録再生装置、記録再生方法、及び該方法をコンピュータに実行させるためのプログラムに関する。
【背景技術】
【０００２】
従来、記録再生装置として、ビデオテープに記録されている一連の動画像の中から必要な部分を指定して、必要な動画像を他のテープに記録する編集装置が知られている（例えば、特許文献１参照）。この編集装置は、元の一連の動画像における記録開始点（ＩＮ点）と記録終了点（ＯＵＴ点）とを指定した後、この記録開始点と記録終了点との間の動画像を再生して、該記録開始点と記録終了点との間の画像を他のテープに記録（ダビング）する。
【特許文献１】特開平５−８９６４４号公報
【発明の開示】
【発明が解決しようとする課題】
【０００３】
しかしながら、上記のような編集装置では、ダビングする際に操作者が元の一連の動画像を見てＩＮ点とＯＵＴ点を指定し、ダビング指示を行なうため、操作者はＩＮ点とＯＵＴ点とを指定するのに手間と時間が掛かるのに加えて、その後の記録時間も待たされることになる。そのため、ダビングを完了するまでに多くの時間がかかっていた。
【０００４】
本発明の目的は、ダビングにかかる時間を短縮し、快適にダビングを行うことができる記録再生装置、記録再生方法、及び該方法を実行するプログラムを提供することにある。
【課題を解決するための手段】
【０００５】
上記目的を達成するために、請求項１記載の記録再生装置は、画像データを記録再生する記録再生装置において、第１の記録媒体に記録された画像データを再生する再生装置と、前記再生装置により再生される画像データを第２の記録媒体に記録する記録装置と、前記再生装置が前記第１の記録媒体に記録された前記画像データを順方向の所定の倍速で再生するときに、前記画像データを前記順方向の所定の倍速で第２の記録媒体に記録するように前記記録装置を制御する制御装置とを備えることを特徴とする。
【０００６】
請求項２記載の記録再生装置は、請求項１記載の記録再生装置において、前記再生装置により再生される前記画像データの現在の再生位置を検出する再生位置検出装置と、前記記録装置により前記第２の記録媒体に記録された画像データの現在の記録位置を検出する記録位置検出装置と、前記再生位置検出装置により検出される再生位置を前記記録位置検出装置により検出される記録位置と比較する再生記録位置比較装置とを有し、前記制御装置は、前記再生位置が前記記録位置より時間的に前であるときに、前記第２の記録媒体に記録された画像データのうち前記再生位置及び前記記録位置間の画像データを消去することを特徴とする。
【０００７】
請求項３記載の記録再生装置は、請求項１又は２記載の記録再生装置において、前記制御装置は、前記再生装置が前記第１の記録媒体に記録された画像データを逆方向の所定の速度で再生するときに、前記第２の記録媒体に記録された画像データを前記逆方向の所定の速度で消去するように前記記録装置を制御することを特徴とする。
【０００８】
請求項４記載の記録再生装置は、請求項２又は３記載の記録再生装置において、前記第２の記録媒体に記録された画像データの記録開始位置を取得する記録開始位置取得装置を有し、前記制御装置は、前記再生位置検出装置で検出される再生位置が前記記録開始位置検出装置により取得された前記記録開始位置より時間的に前であるときは、外部に警告を発することを特徴とする。
【０００９】
請求項５記載の記録再生装置は、請求項４記載の記録再生装置において、前記再生装置により再生される前記画像データを表示する表示装置と、前記再生装置により再生される前記画像データに画面効果を付す画面効果装置を有し、前記警告は、前記画像データに付された前記画面効果であることを特徴とする。
【００１０】
請求項６記載の記録再生装置は、請求項５記載の記録再生装置において、前記画面効果は前記表示装置に表示される画像データの色を変化させることを特徴とする。
【００１１】
請求項７記載の記録再生装置は、請求項５又は６記載の記録再生装置において、前記画面効果は前記表示装置に表示される画像データの輝度を変化させることを特徴とする。
【００１２】
請求項８記載の記録再生装置は、請求項５乃至７のいずれか１項に記載の記録再生装置において、前記画面効果は、前記表示装置に表示される画像データに、文字データを重ね合わせることを特徴とする。
【００１３】
請求項９記載の記録再生装置は、請求項４記載の記録再生装置において、音声を再生する音声再生装置を有し、前記警告は、前記音声再生装置により再生される音声であることを特徴とする。
【００１４】
請求項１０記載の記録再生装置は、請求項４乃至９のいずれか１項に記載の記録再生装置において、前記第２の記録媒体への画像データの記録を取消す取消信号を検出する取消信号検出装置を有し、前記制御装置は、前記取消信号検出装置が前記取消信号を検出したときに、前記第２の記録媒体への画像データの記録を取消すと共に前記第２の記録媒体に新たな画像データを記録することができるように前記記録装置を制御することを特徴とする。
【００１５】
請求項１１記載の記録再生装置は、請求項１乃至１０のいずれか１項に記載の記録再生装置において、前記第１の記録媒体及び前記第２の記録媒体は、テープ、ディスク、及び半導体メモリのうちのいずれかの組み合わせで構成されることを特徴とする。
【００１６】
請求項１２記載の記録再生装置は、請求項１乃至１１のいずれか１項に記載の記録再生装置において、前記第１記録媒体及び前記第２の記録媒体は、同一の媒体から成ることを特徴とする。
【００１７】
上記目的を達成するために、請求項１３記載の記録再生方法は、画像データを記録する第１の記録媒体及び第２の記録媒体を有し、画像データを記録再生する記録再生装置に適用される記録再生方法であって、前記第１の記録媒体に記録された画像データを再生する再生ステップと、前記再生ステップにより再生される画像データを前記第２の記録媒体に記録する記録ステップと、前記第１の記録媒体に記録された前記画像データを順方向の所定の倍速で再生するときに、前記画像データを前記順方向の所定の倍速で第２の記録媒体に記録するように制御する制御ステップとを有することを特徴とする。
【００１８】
請求項１４記載の記録再生方法は、請求項１３記載の記録再生方法において、前記再生ステップにより再生される前記画像データの現在の再生位置を検出する再生位置検出ステップと、前記記録ステップにより前記第２の記録媒体に記録された画像データの現在の記録位置を検出する記録位置検出ステップと、前記再生位置検出ステップにより検出される再生位置を前記記録位置検出ステップにより検出される記録位置と比較する再生記録位置比較ステップとを有し、前記制御ステップは、前記再生位置が前記記録位置に対して時間的に前であるときに、前記第２の記録媒体に記録された画像データのうち前記再生位置及び前記記録位置間の画像データを消去することを特徴とする。
【００１９】
請求項１５記載の記録再生方法は、請求項１３又は１４記載の記録再生方法において、前記制御ステップは、前記再生ステップにより前記第１の記録媒体に記録された画像データを逆方向の所定の速度で再生するときに、前記第２の記録媒体に記録された画像データを前記逆方向の所定の速度で消去するように前記記録ステップを制御することを特徴とする。
【００２０】
請求項１６記載の記録再生方法は、請求項１４又は１５記載の記録再生方法において、前記第２の記録媒体に記録された画像データの記録開始位置を取得する記録開始位置取得ステップを有し、前記制御ステップは、前記再生位置検出ステップにより検出される再生位置が前記記録開始位置検出ステップにより取得された前記記録開始位置より時間的に前であるときは、外部に警告を発することを特徴とする。
【００２１】
請求項１７記載の記録再生方法は、請求項１６記載の記録再生方法において、前記再生ステップにより再生される前記画像データを表示する表示ステップと、前記再生ステップにより再生される前記画像データに画面効果を付す画面効果ステップを有し、前記警告は、前記画像データに付された前記画面効果であることを特徴とする。
【００２２】
請求項１８記載の記録再生方法は、請求項１７記載の記録再生方法において、前記画面効果は前記表示ステップより表示される画像データの色を変化させることを特徴とする。
【００２３】
請求項１９記載の記録再生方法は、請求項１７又は１８記載の記録再生方法において、前記画面効果は前記表示ステップにより表示される画像データの輝度を変化させることを特徴とする。
【００２４】
請求項２０記載の記録再生方法は、請求項１７乃至１９のいずれか１項に記載の記録再生方法において、前記画面効果は、前記表示ステップにより表示される画像データに、文字データを重ね合わせることを特徴とする。
【００２５】
請求項２１記載の記録再生方法は、請求項１６記載の記録再生方法において、音声を再生する音声再生ステップを有し、前記警告は、前記音声再生ステップにより再生される音声であることを特徴とする。
【００２６】
請求項２２記載の記録再生方法は、請求項１６乃至２１のいずれか１項に記載の記録再生方法において、前記第２の記録媒体への画像データの記録を取消す取消信号を検出する取消信号検出ステップを有し、前記制御ステップは、前記取消信号検出により前記取消信号を検出したときに、前記第２の記録媒体への画像データの記録を取消すと共に前記第２の記録媒体に新たな画像データを記録することができるように前記記録ステップを制御することを特徴とする。
【００２７】
請求項２３記載の記録再生方法は、請求項１３乃至２２のいずれか１項に記載の記録再生方法において、前記第１の記録媒体及び前記第２の記録媒体は、テープ、ディスク、及び半導体メモリのうちのいずれかの組み合わせで構成されることを特徴とする。
【００２８】
請求項２４記載の記録再生方法は、請求項１３乃至２３のいずれか１項に記載の記録再生方法前記第１記録媒体及び前記第２の記録媒体は、同一の媒体から成ることを特徴とする。
【００２９】
上記目的を達成するために、請求項２５記載のプログラムは、画像データを記録する第１の記録媒体及び第２の記録媒体を有し、画像データを記録再生する記録再生装置に適用される記録再生方法をコンピュータに実行させるためのプログラムであって、前記第１の記録媒体に記録された画像データを再生する再生モジュールと、前記再生モジュールにより再生される画像データを前記第２の記録媒体に記録する記録モジュールと、前記第１の記録媒体に記録された前記画像データを順方向の所定の倍速で再生するときに、前記画像データを前記順方向の所定の倍速で前記第２の記録媒体に記録するように制御する制御モジュールとを有することを特徴とする。
【発明の効果】
【００３０】
請求項１記載の記録再生装置、請求項１３記載の記録再生方法、及び請求項２５記載のプログラムによれば、第１の記録媒体に記録された画像データが再生され、該再生される画像データが第２の記録媒体に記録され、第１の記録媒体に記録された画像データが順方向の所定の倍速で再生されるときに、該画像データを上記所定の順方向の倍速で第２の記録媒体に記録するように制御されるので、再生されている動画像データが常時第２の記録媒体に記録され、再生終了時に編集（ダビング）を終了することができ、もってダビングにかかる時間を短縮し、快適にダビングを行うことができる。
【００３１】
請求項２記載の記録再生装置及び請求項１４記載の記録再生方法によれば、再生装置により再生される画像データの現在の再生位置が検出され、第２の記録媒体に記録された画像データの現在の記録位置が検出され、再生位置が記録位置と比較され、再生位置が記録位置より時間的に前であるときに、第２の記録媒体に記録された画像データのうち再生位置及び記録位置間の画像データが消去されるので、画像データの編集の煩雑さを低減し、編集終了までの待ち時間も大幅に低減することができる。
【００３２】
請求項３記載の記録再生装置及び請求項１５記載の記録再生方法によれば、第１の記録媒体に記録された画像データが逆方向の所定の倍速で再生されるときに、第２の記録媒体に記録された画像データが上記逆方向の所定の倍速で消去されるので、画像データの編集の煩雑さを更に低減し、編集終了までの待ち時間も更に大幅に低減することができる。
【００３３】
請求項４記載の記録再生装置及び請求項１６記載の記録再生方法によれば、第２の記録媒体に記録された画像データの記録開始位置が取得され、再生位置が記録開始位置より時間的に前であるときは、外部に警告を発するので、ダビングの失敗を防止することができ、もってダビングにかかる時間を短縮し、快適にダビングを行うことができる。
【００３４】
請求項１０記載の記録再生装置及び請求項２２記載の記録再生方法によれば、第２の記録媒体への画像データの記録を取消す取消信号が検出され、該取消信号が検出されたときに、第２の記録媒体への画像データの記録を取消すと共に第２の記録媒体に新たな画像データを記録することができるので、マスター側の再生位置が記録開始位置より時間的に前になって警告が出力された時に、操作者は現在のダビングを取消すことができると共に新たにダビングをし直すことができ、もって編集の操作性が向上し、編集にかかる時間を低減することができる。
【発明を実施するための最良の形態】
【００３５】
以下、本発明の実施の形態を図面を参照しながら詳述する。
【００３６】
図１は、本発明の第１の実施の形態に係る記録再生装置の構成を概略的に示す図である。
【００３７】
図１において、記録再生装置は、動画像データが記録された記録媒体（第１の記録媒体、例えばメモリカード）１０１と、記録媒体１０１に記録されている動画像データを所定の再生速度、例えば、±ｓｐ（ｓｐ＞０）倍の速度で再生する再生回路（再生装置）１０２と、動画像データを復号する復号化回路１０３と、動画像データを表示する表示装置１０４と、動画像データをダビングするスレーブとなる記録媒体（第２の記録媒体、例えば光ディスク）１０５と、再生回路１０２から再生される動画像データを±ｓｐ（ｓｐ＞０）倍の速度で記録媒体１０５に記録する記録回路（記録装置）１０６と、動画像データを符号化する符号化回路１０７と、再生回路１０２及び記録回路１０６の動作を制御する記録再生制御回路（制御装置）１０８と、動画像データの現在の再生位置Ｃｐを検出する再生位置Ｃｐ検出回路（再生位置検出装置）１０９と、記録媒体１０５に記録された動画像データの現在の記録位置Ｃｒを検出する記録位置Ｃｒ検出回路（記録位置検出装置）１１０と、記録媒体１０５に記録された動画像データのダビング開始位置（記録開始位置）Ｃ１を取得するダビング開始位置Ｃ１取得回路（記録開始位置取得装置）１１１と、ダビング開始位置Ｃ１を再生位置Ｃｐと比較するＣ１／Ｃｐ比較回路１１２と、再生位置Ｃｐを記録位置Ｃｒと比較するＣｐ／Ｃｒ比較回路（再生記録位置比較装置）１１３と、入力端子１１４と、入力端子１１４からのダビング開始信号を検出するダビング開始検出回路１１５と、入力端子１１６と、入力端子１１６からの再生指示の信号を検出する再生開始検出回路１１７と、入力端子１１８と、入力端子１１８からの再生停止信号を検出する再生停止検出回路１１９と、入力端子１２０と、入力端子１２０からの動画像データの再生速度を検出する再生速度検出回路１２１とを備える。
【００３８】
図２は、図１の記録再生装置のダビング処理を示すフローチャートである。以下、図１及び図２を用いて記録再生装置の動作を説明する。
【００３９】
先ず、不図示のボタン等により、入力端子１１６から再生指示の信号が再生開始検出回路１１７に入力されると、再生開始検出回路１１７は再生開始信号を記録再生制御回路１０８に送出する。記録再生制御回路１０８は、再生開始検出回路１１７からの再生指示信号を受信すると、記録媒体１０１に記録されている動画像データを再生するように再生回路１０２に指示する。再生回路１０２は、記録媒体１０１に記録されている動画像データを再生し、再生された動画像データを復号化回路１０３に送出する。復号化回路１０３は再生回路１０２により再生された動画像データを復号し、表示装置１０４に復号化された動画像データを送出する。表示装置１０４は復号化回路１０３から供給された復号化された動画像データを表示する（ステップＳ３０１）。これにより、操作者は再生画像を視聴することができる。
【００４０】
次に、操作者が表示装置１０４で表示される動画像データを見ながらダビングしたい個所に来た時点で不図示のダビング開始ボタン等を押下することにより、ダビング開始信号が入力端子１１４からダビング開始検出回路１１５に入力される。ダビング開始検出回路１１５はダビング開始信号を記録再生制御回路１０８に送出し、記録再生制御回路１０８はダビング開始のモードに入る。記録再生制御回路１０８は、ダビング開始信号を受信したか否かを判別し（ステップＳ３０２）、ダビング開始信号を受信するまでステップＳ３０２の判別を繰り返し、ダビング開始信号を受信したときは、再生位置Ｃｐ検出回路１０９に現在の動画像データの再生位置Ｃｐを検出するよう指示する。再生位置Ｃｐ検出回路１０９は、現在の動画像データの再生位置Ｃｐを検出し、該再生位置Ｃｐをダビング開始位置Ｃ１取得回路１１１に供給する。ダビング開始位置Ｃ１取得回路１１１は、記録再生制御回路１０８からの制御信号を受け、再生位置Ｃｐ検出回路１０９から供給されるダビング開始時の動画像データの再生位置Ｃｐをダビング開始位置Ｃ１として取得する（ステップＳ３０３）。さらに、再生位置Ｃｐ検出回路１０９はＣ１／Ｃｐ比較回路１１２及びＣｐ／Ｃｒ比較回路１１３に再生位置Ｃｐを供給する。これにより、Ｃ１／Ｃｐ比較回路１１２及びＣｐ／Ｃｒ比較回路１１３は、夫々再生位置Ｃｐを取得する（ステップＳ３０４）。
【００４１】
次に、記録再生制御回路１０８は、複号化回路１０３により復号化された動画像データのうちダビング開始位置Ｃ１以降の動画像データを符号化回路１０７に供給し、符号化回路１０７は動画像データを符号化し、記録回路１０６に供給する。記録回路１０６は符号化回路１０７から供給される符号化された動画像データを記録媒体１０５に記録する。さらに、記録位置Ｃｒ検出回路１１０は、記録媒体１０１からダビングした動画像データの現在の記録位置Ｃｒを検出し、Ｃｐ／Ｃｒ比較回路１１３に供給する。これにより、Ｃｐ／Ｃｒ比較回路１１３は記録位置Ｃｒを取得する（ステップＳ３０５）。
【００４２】
次に、操作者はダビングを開始した後、ダビング終了点を探す操作に入る。操作者はダビング開始点Ｃ１から通常再生、すなわち再生速度ｓｐ=１（１倍速）で記録媒体１０１に記録されている動画像データを再生しているが、ユーザは、終了点を探すために、例えば、１倍速以外の任意の再生速度で動画像データを再生することができる。即ち、ユーザにより指定された所望の再生速度ｓｐの情報が入力端子１２０から再生速度検出回路１２１に入力されると、再生速度検出回路１２１は再生速度ｓｐを検出し、記録再生制御回路１０８に再生速度ｓｐを送出する。
【００４３】
図３は、図１の記録再生装置により編集される動画像データのタイムチャートを示す図である。
【００４４】
図３に示すように、Ｄ１の時点で記録媒体１０１に記録されている元データを順方向に１倍速を越える速度ｓｐ＞１で再生したとすると、記録再生制御回路１０８は、記録媒体１０１から再生速度ｓｐで動画像データを再生するように、再生回路１０２及び符号化回路１０３を制御し、表示装置１０４に再生速度ｓｐで動画像データを表示する。
【００４５】
この場合、動画像データは順方向に再生され続けている（ｓｐ＞１）ので、再生位置Ｃｐ検出回路１０９からＣ１／Ｃｐ比較回路１１２に供給される再生位置Ｃｐは、ダビング開始位置Ｃ１に対して時間的に後である。
【００４６】
図２に戻り、ステップＳ３０６において、Ｃ１／Ｃｐ比較回路１１２に供給された再生位置Ｃｐがダビング開始位置Ｃ１に対して時間的に後か否かを判別し、再生位置Ｃｐがダビング開始位置Ｃ１に対して時間的に後でない場合はステップＳ３１０に進み、再生位置Ｃｐがダビング開始位置Ｃ１に対して時間的に後である場合は、ステップＳ３０７に進む。
【００４７】
次に、Ｃｐ／Ｃｒ比較回路１１３に供給された再生位置Ｃｐが記録位置Ｃｒ検出回路１１０から供給された記録位置Ｃｒに対して時間的に後か否かを判別する（ステップＳ３０７）。再生位置Ｃｐが記録位置Ｃｒに対して時間的に後でない場合、すなわち、再生位置Ｃｐが記録位置Ｃｒに対して時間的に前である場合は、記録媒体１０５に記録された動画像データを再生位置Ｃｐまで消去して（ステップＳ３０９）、ステップＳ３１０に進み、再生位置Ｃｐが記録位置Ｃｒに対して時間的に後である場合は、ステップＳ３０８に進む。
【００４８】
続くステップＳ３０８において、記録再生制御回路１０８は、Ｃ１／Ｃｐ比較回路１１２及びＣｐ／Ｃｒ比較回路１１３の判別結果に応じて、再生速度ｓｐと等しい記録速度ｓｐで動画像データを記録するように記録回路１０６を制御し、再生位置Ｃｐ＝記録位置Ｃｒとなるまで記録媒体１０５に動画像データのダビングを続ける（ステップＳ３０８）。
【００４９】
次に、操作者により動画像データの再生が停止されたか否かを判別し（ステップＳ３１０）、動画像データの再生が停止された場合は、本処理を終了し、動画像データの再生が停止されていない場合は、ステップＳ３０４以降の処理を繰り返す。例えば、図３のＤ２の時点で再び通常再生を行い、次に図３のＤ３の時点で順方向に１倍速を越える速度ｓｐ＞１でＤ４の時点まで再生した場合は、上記で説明したステップＳ３０４、ステップＳ３０５，ステップＳ３０６，ステップＳ３０７，ステップＳ３０８、及びステップＳ３１０における各処理が実行される。
【００５０】
また、図３のＤ４まで記録媒体１０１を再生して、次にＤ４から再生速度ｓｐ＜−１の逆方向の特殊再生を図３のＤ５までしたとすると、入力端子１２０から逆方向の再生速度ｓｐが入力され、再生速度検出回路１２１は逆方向の再生速度ｓｐを検出し、記録再生制御回路１０８に入力する。記録再生制御回路１０８は記録媒体１０１の動画像データＤ４の位置から再生速度ｓｐ＜−１で動画像データを逆再生するよう、再生回路１０２及び符号化回路１０３を制御し、表示装置１０４に逆方向の再生速度ｓｐで動画像データを表示する。Ｃ１／Ｃｐ比較回路１１２は再生位置Ｃｐ検出回路１０９から供給される再生位置Ｃｐがダビング開始位置Ｃ１より時間的に後か否かを判別し（ステップＳ３０６）、再生位置Ｃｐがダビング開始位置Ｃ１より時間的に後である場合は、Ｃｐ／Ｃｒ比較回路１１３は、再生位置Ｃｐ検出回路１０９から供給される再生位置Ｃｐが記録位置Ｃｒ検出回路１１０から供給される現在の記録位置Ｃｒより時間的に後であるか否かを判別する（ステップＳ３０７）。また、再生位置Ｃｐが記録位置Ｃｒより時間的に前である場合は、記録再生制御回路１０８が、Ｃ１／Ｃｐ比較回路１１２及びＣｐ／Ｃｒ比較回路１１３からの出力に応じて、記録媒体１０５に記録された動画像データを再生位置Ｃｐの位置まで消去するように記録回路１０６を制御する（ステップＳ３０９）。
【００５１】
また、操作者が図３のＤ５の時点で再生速度ｓｐ＝−１で記録媒体１０１を再生する場合は、上記のステップS３０４、ステップS３０５，ステップS３０６，ステップS３０７，ステップS３０９、及びステップＳ３１０における各処理が実行される。
【００５２】
さらに、操作者が図３のＣ２時点で不図示の停止ボタン等を押した場合には、入力端子１１８から再生停止信号が入力され、再生停止検出回路１１９が再生停止信号を検出し、記録再生制御回路１０８に出力する。記録再生制御回路１０８は、再生停止検出回路１１９からの再生停止信号を受信することによりダビング終了処理の実行を開始し、再生位置Ｃｐ検出回路１０９から再生停止信号を受信した時の再生位置Ｃｐ（＝Ｃ２）を取得し、記録位置Ｃｒ検出回路１１０から再生停止信号を受信した時の記録位置Ｃｒを取得し、Ｃ１／Ｃｐ比較回路１１２及びＣｐ／Ｃｒ比較回路１１３に供給する。
【００５３】
ここで、逆方向で再生している場合、最初は、Ｃｐ（＝Ｃ２）はＣ１より時間的に後であり、且つＣｐ（＝Ｃ２）はＣｒと一致しない、特に、ＣｐはＣｒに対して時間的に前であることが多いが、このとき、記録再生制御回路１０８が、Ｃｐ＝Ｃｒとすべく記録媒体１０５に記録された動画像データを再生装置Ｃｐの位置まで消去する。その後、Ｃｐ＝Ｃｒとなると、記録再生制御回路１０８は、再生回路１０２及び記録回路１０６の動作を停止し、ダビングを終了する。これにより、図３に示すダビング開始点Ｃ１から再生停止したＣ２点までのダビングされた動画像データ（Ｒ１からＲ２）が記録媒体１０５に記録される。
【００５４】
ここでは、図３において、Ｄ４→Ｄ５→Ｃ２というように逆再生している時点で停止された場合を説明したが、順方向で再生している場合において、Ｄ３やＤ４の時点で停止ボタン等が押下されたときは、上述した逆方向で再生している場合に対比して、ＣｐはＣｒに対して時間的に後であることが多いが、このとき、記録再生制御回路１０８が、Ｃｐ＝Ｃｒとすべく記録媒体１０５に動画像データを再生装置Ｃｐの位置までダビングする。その後、Ｃｐ＝Ｃｒとなると、記録再生制御回路１０８は、再生回路１０２及び記録回路１０６の動作を停止し、ダビングを終了する。
【００５５】
以上、説明したように、本実施の形態に係る記録再生装置によれば、記録媒体１０１に記録された動画像データが順方向に所定の再生速度で再生され、再生回路１０２により再生される動画像データが記録媒体１０５に所定の記録速度で記録され、再生回路１０２が記録媒体１０１に記録された動画像データを再生速度+ｓｐで再生するときに、動画像データが記録速度+ｓｐで記録媒体１０５に記録されるので、再生回路１０２によって再生されている位置までの動画像データが常時記録媒体１０５に記録され、再生停止がされた時点で編集（ダビング）を終了することができ、もって動画像データの編集の煩雑さを低減し、編集終了までの待ち時間も大幅に低減することができ、快適にダビングを行うことができる。
【００５６】
また、再生回路１０２により再生される動画像データの現在の再生位置Ｃｐが検出され、記録媒体１０５に記録された動画像データの現在の記録位置Ｃｒが検出され、再生位置Ｃｐ検出回路１０９により検出される再生位置Ｃｐが記録位置検出回路１１０により検出される記録位置Ｃｒと比較され、再生位置Ｃｐが記録位置Ｃｒより時間的に前であるときに、記録媒体１０５に記録された動画像データのうち再生位置Ｃｐ及び記録位置Ｃｒ間の動画像データが消去されるので、動画像データの編集の煩雑さを低減し、編集終了までの待ち時間も大幅に低減することができる。
【００５７】
さらに、記録媒体１０１に記録された動画像データが再生速度−ｓｐで再生されるときに、記録媒体１０５に記録された動画像データがその時の再生点まで消去速度−ｓｐで消去されるので、動画像データの編集の煩雑さを更に低減し、編集終了までの待ち時間も更に大幅に低減することができる。
【００５８】
図４は、本発明の第２の実施の形態に係る記録再生装置の構成を概略的に示す図である。尚、図４の記録再生装置は、その構成が図１のものと基本的に同じであり、同じ構成要素については同一の参照番号を付し、以下に異なる部分を説明する。
【００５９】
図４において、記録再生装置は、再生回路１０２及び記録回路１０６の動作を制御すると共に後述する画面効果回路２０１を介して操作者への警告情報を復号化回路１０３からの動画像データに多重化する記録再生制御回路２００と、記録再生制御回路２００からの信号により動画像データに警告情報を多重化する画面効果回路（画面効果装置）２０１と、警告情報に基づいて警告音を発するスピーカー２０２と、入力端子２０３と、入力端子２０３からのダビングのキャンセル信号を検出するキャンセル信号検出回路２０４とを備える。尚、画面効果回路２０１は、通常、復号化回路１０３から出力される動画像データをスルーして表示装置１０４に供給する。
【００６０】
図５は、図４の記録再生装置のダビング処理を示すフローチャートであり、図６は、図４の記録再生装置により編集される動画像データのタイムチャートを示す図である。
【００６１】
図６において、ダビングに入ってからＤ４までの動作は第１の実施の形態における図３に示す動作と同様であるので、図５のステップＳ４０６以降の処理を以下に説明する。
【００６２】
まず、図６に示すように、Ｄ４まで再生した時点で、操作者が逆方向の再生を指示したとする。この場合、入力端子１２０から逆方向の再生速度ｓｐ（＜０）が入力され、再生速度検出回路１２１は逆方向の再生速度ｓｐ（＜０）を検出して記録再生制御回路２００に入力する。記録再生制御回路２００は、記録媒体１０１の動画像データＤ４の位置から再生速度ｓｐ（＜０）で動画像データを逆再生するように再生回路１０２及び復号化回路１０３を制御し、画面効果回路２０１は復号化回路１０３から出力される動画像データをそのまま表示装置１０４に供給し、表示装置１０４は再生速度ｓｐ（＜０）で動画像データを表示する。
【００６３】
図５のステップＳ４０６において、Ｃ１／Ｃｐ比較回路１１２は、再生位置Ｃｐ検出回路１０９から供給される再生位置Ｃｐがダビング開始位置Ｃ１より時間的に後か否かを判別し、再生位置Ｃｐがダビング開始位置Ｃ１より時間的に後である場合は、ステップＳ４０７に進む。その後の処理は、第１の実施の形態における図２のフローチャートにおけるステップＳ３０７以降の処理に示すものと同じ流れになる。
【００６４】
一方、操作者が逆方向の再生を継続した場合において、図５のＣ１／Ｃｐ比較回路１１２が、再生位置Ｃｐ検出回路１０９から供給される再生位置Ｃｐがダビング開始位置Ｃ１より時間的に後になったか否かを判別し、再生位置Ｃｐがダビング開始位置Ｃ１より時間的に後でない場合（例えば、図６における位置Ｃｐm）は、ステップＳ４１１に進む。
【００６５】
次に、記録再生制御回路２００は、Ｃ１／Ｃｐ比較回路１１２からの出力信号を受信し、画面効果回路２０１で再生位置Ｃｐがダビング開始位置Ｃ１より時間的に後でない、すなわち、時間的に前になったことを示す警告情報を復号化回路１０３からの動画像データに多重化し、画面効果回路２０１は多重化された動画像データを表示装置１０４に出力する。表示装置１０４は画面効果回路２１０から供給される多重化された動画像データを表示する（ステップＳ４１１）。操作者は表示装置１０４に表示された警告情報により、再生位置Ｃｐがダビング開始位置Ｃ１より時間的に前になったことを知ることができる。
【００６６】
ここで、表示装置１０４に表示される警告情報は、表示装置１０４に表示される動画像データの色を変化させることによる警告情報、表示装置１０４に表示される動画像データの輝度を変化させることによる警告情報、又は、表示装置１０４に表示される動画像データに、文字データを重ね合わせることによる警告情報であるのが好ましい。さらに、記録再生制御回路２００は、スピーカー２０２を鳴らすことにより、音によって操作者に警告を発してもよい。
【００６７】
次に、操作者が不図示のボタン等からダビングのキャンセルを選択することにより、入力端子２０３からキャンセル信号検出回路２０４にキャンセル信号が入力される。キャンセル信号検出回路２０４はキャンセル信号を検出し、記録再生制御回路２００に出力する。記録再生制御回路２００は、キャンセル信号検出回路２０４からキャンセル信号を受信したか否かを判別し（ステップＳ４１２）、キャンセル信号検出回路２０４からキャンセル信号を受信したときは、ダビング開始位置Ｃ１検出回路により検出されたダビング位置Ｃ１をキャンセルし（ステップＳ４１３）、ステップＳ４０２に戻る。これにより、動画像データのダビングがキャンセルされ、再びダビング開始を選択し直すことができるようになる。
【００６８】
一方、操作者がダビングをキャンセルしない場合、すなわち、記録再生制御回路２００がキャンセル信号検出回路２０４からキャンセル信号を受信していない場合は、操作者により動画像データの再生が停止されたか否かを判別し（ステップＳ４１０）、動画像データの再生が停止された場合は、本処理を終了し、動画像データの再生が停止されていない場合は、ステップＳ４０４，ステップＳ４０５，ステップＳ４０６，ステップＳ４１１，及びステップＳ４１２を繰り返し、警告情報を表示装置１０４に表示し続ける。
【００６９】
さらに、操作者が記録媒体１０１を順方向に再生するように切り替え、Ｃ１／Ｃｐ比較回路が、再生位置Ｃｐがダビング開始位置Ｃ１より時間的に後であると判別したときは（ステップＳ４０６でＹＥＳ）、表示装置１０４に表示された警告情報は消え、再び記録媒体１０５へのダビングが開始される。
【００７０】
以上、説明したように、本実施の形態に係る画像処理装置によれば、記録媒体１０５に記録された動画像データのダビング開始位置Ｃ１が取得され、再生位置Ｃｐ検出回路１０９で検出される再生位置Ｃｐがダビング開始位置Ｃ１より時間的に前であるときは、表示装置１０４に警告情報が表示されるので、操作者のダビングの失敗を防止することができ、もってダビングにかかる時間を短縮し、快適にダビングを行うことができる。
【００７１】
また、記録媒体１０５への動画像データの記録を取消す取消信号が検出され、キャンセル信号検出回路２０４が取消信号を検出したときに、記録媒体１０５への動画像データの記録を取消すと共に記録媒体１０５に新たな動画像データを記録することができるように記録回路１０６が制御されるので、マスター側の再生位置Ｃｐが、ダビング開始位置Ｃ１より時間的に前になって警告が出力された時に、操作者は現在のダビングを取消すことができると共に新たにダビングをし直すことができ、もって編集の操作性が向上し、編集にかかる時間を低減することができる。
【００７２】
なお、上記実施の形態において、記録媒体１０１，１０５は、テープ、ディスク、又は半導体のうちいずれの組み合わせによって構成されるものでもよく、さらに、記録媒体１０１，１０５が同一の記録媒体で構成されるものであってもよい。
【００７３】
なお、本発明の目的は、前述した各実施の形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても達成される。この場合、記憶媒体から読み出されたプログラムコード自体が本発明の新規な機能を実現することにより、そのプログラムコード及び該プログラムコードを記憶した記憶媒体およびプログラムは本発明を構成することになる。
【００７４】
また、プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。或いは、上記プログラムは、インターネット、商用ネットワーク、若しくはローカルエリアネットワーク等に接続される不図示の他のコンピュータやデータベース等からダウンロードすることにより供給される。
【００７５】
また、コンピュータが読み出したプログラムコードを実行することにより、前述した各実施の形態の機能が実現されるだけでなく、そのプログラムコードの指示に基づき、コンピュータ上で稼働しているＯＳ（オペレーティングシステム）などが実際の処理の一部または全部を行い、その処理によって前述した各実施の形態の機能が実現される場合も含まれる。
【００７６】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した各実施の形態の機能が実現される場合も含まれる。
【図面の簡単な説明】
【００７７】
【図１】本発明の第１の実施の形態に係る記録再生装置の構成を概略的に示す図である。
【図２】図１の記録再生装置のダビング処理を示すフローチャートである。
【図３】図１の記録再生装置により編集される動画像データのタイムチャートを示す図である。
【図４】本発明の第２の実施の形態に係る記録再生装置の構成を概略的に示す図である。
【図５】図４の記録再生装置のダビング処理を示すフローチャートである。
【図６】図４の記録再生装置により編集される動画像データのタイムチャートを示す図である。
【符号の説明】
【００７８】
１０１  記録媒体
１０２  再生回路
１０５  記録媒体
１０６  記録回路
１０８  記録再生制御回路
【図１】
2006155691.tif 000003
【図２】
2006155691.tif 000004
【図３】
2006155691.tif 000005
【図４】
2006155691.tif 000006
【図５】
2006155691.tif 000007
【図６】
2006155691.tif 000008